(57)【特許請求の範囲】
【請求項１】
取付部材の両面に、それぞれ第１電子部品と第２電子部品とを取り付けるとともに、前記取付部材の外周端辺である外側面を覆って前記第１，第２電子部品上にケースを設置し、さらに前記ケースに前記第１，第２電子部品の操作部をそれぞれ露出する第１，第２露出部を設けてなる複合型電子部品であって、
前記ケースは屈曲又は湾曲しており、前記第１，第２露出部はこのケースの屈曲面又は湾曲面上にそれぞれ異なる方向を向いて設けられていることを特徴とする複合型電子部品。
【請求項２】
前記第１電子部品と第２電子部品は、前記取付部材の対向する両面に重なり合って取り付けられていることを特徴とする請求項１に記載の複合型電子部品。
【請求項３】
前記取付部材は取付板であり、
前記第１電子部品を取り付ける基台と、前記第２電子部品を取り付ける基台の少なくとも何れか一方から突出する突出部を、前記取付板を介してもう一方の基台に取り付けることで、第１電子部品と第２電子部品とを取付板を介して一体に固定することを特徴とする請求項２に記載の複合型電子部品。
【請求項４】
前記取付部材は取付板であり、
前記第１電子部品はその操作部を回転つまみとする回転式電子部品であり、
この回転式電子部品は回転つまみの回転軸に垂直な面が前記取付板の面に沿う方向を向き、且つ回転つまみの一部が取付板の前記外側面から外方に突出するように設置され、
さらに前記回転つまみの外周面を操作面として前記ケースの第１露出部に露出させることを特徴とする請求項１乃至３の内の何れかに記載の複合型電子部品。
【請求項５】
前記取付板は、その所定部分を屈曲することで２つの平面状の電子部品取付部を有し、一方の電子部品取付部は前記回転つまみの回転軸に垂直な面に沿う方向に向けて取り付けられ、他方の電子部品取付部は前記外側面を有し、この外側面が前記回転つまみの回転軸に垂直な面に近づくようにこの回転つまみの面に対して傾斜した状態で取り付けられ、
且つ前記外側面を有する一方の電子部品取付部の傾斜した面上に前記第２電子部品を取り付けたことを特徴とする請求項４に記載の複合型電子部品。
【発明の詳細な説明】
【技術分野】
【０００１】
本発明は、複数の電子部品を集積して設置するのに好適な複合型電子部品に関するものである。
【背景技術】
【０００２】
２つの電子部品を電子機器内で接近して設置する場合、従来は電子機器内に設置した取付板の同一面上にこれら電子部品を並列に接近させて設置し、これら電子部品上を覆う外装ケースに設けた開口から前記各電子部品を操作する操作部（例えばキートップや回転つまみ等）を露出していた。
【０００３】
しかしながら前記併設しようとする複数の電子部品が異なる形状・構造・寸法の場合、これら（特にこれらの操作部同士）を接近して設置することが困難な場合があった。例えば一方の電子部品が回転つまみを操作部としてその外周面の一部を操作面とする回転式電子部品であり、他方の電子部品がキートップを操作部としてその上面を操作面とする押釦スイッチであって両者の高さ寸法が大きく異なるような場合は、両者の操作部の位置を接近して配置することは困難であった。
【発明の開示】
【発明が解決しようとする課題】
【０００４】
本発明は上述の点に鑑みてなされたものでありその目的は、複数の電子部品同士及びそれらの操作部同士を容易に接近して設置することができる複合型電子部品を提供することにある。
【課題を解決するための手段】
【０００５】
本願請求項１に記載の発明は、取付部材の両面に、それぞれ第１電子部品と第２電子部品とを取り付けるとともに、前記取付部材の外周端辺である外側面を覆って前記第１，第２電子部品上にケースを設置し、さらに前記ケースに前記第１，第２電子部品の操作部をそれぞれ露出する第１，第２露出部を設けてなる複合型電子部品であって、前記ケースは屈曲又は湾曲しており、前記第１，第２露出部はこのケースの屈曲面又は湾曲面上にそれぞれ異なる方向を向いて設けられていることを特徴とする複合型電子部品にある。
【０００６】
本願請求項２に記載の発明は、前記第１電子部品と第２電子部品は、前記取付部材の対向する両面に重なり合って取り付けられていることを特徴とする請求項１に記載の複合型電子部品にある。
【０００９】
本願請求項３に記載の発明は、前記取付部材は取付板であり、前記第１電子部品を取り付ける基台と、前記第２電子部品を取り付ける基台の少なくとも何れか一方から突出する突出部を、前記取付板を介してもう一方の基台に取り付けることで、第１電子部品と第２電子部品とを取付板を介して一体に固定することを特徴とする請求項２に記載の複合型電子部品にある。
【００１０】
本願請求項４に記載の発明は、前記取付部材は取付板であり、前記第１電子部品はその操作部を回転つまみとする回転式電子部品であり、この回転式電子部品は回転つまみの回転軸に垂直な面が前記取付板の面に沿う方向を向き、且つ回転つまみの一部が取付板の前記外側面から外方に突出するように設置され、さらに前記回転つまみの外周面を操作面として前記ケースの第１露出部に露出させることを特徴とする請求項１乃至３の内の何れかに記載の複合型電子部品にある。
【００１１】
本願請求項５に記載の発明は、前記取付板は、その所定部分を屈曲することで２つの平面状の電子部品取付部を有し、一方の電子部品取付部は前記回転つまみの回転軸に垂直な面に沿う方向に向けて取り付けられ、他方の電子部品取付部は前記外側面を有し、この外側面が前記回転つまみの回転軸に垂直な面に近づくようにこの回転つまみの面に対して傾斜した状態で取り付けられ、且つ前記外側面を有する一方の電子部品取付部の傾斜した面上に前記第２電子部品を取り付けたことを特徴とする請求項４に記載の複合型電子部品にある。
【発明の効果】
【００１２】
請求項１，請求項２に記載の発明によれば、取付部材の両面（特に対向する両面）に第１電子部品と第２電子部品を設置したので、取付部材の一方の面に第１，第２電子部品を設置する場合に比べて両電子部品同士及びそれらの操作部同士を取付部材の外側面近傍において容易に接近させて配置させることができる。即ち取付部材の外側面を覆うケースに設けた第１，第２露出部を接近して設けることができる。
【００１３】
請求項１に記載の発明によれば、容易に第１，第２露出部を異なる方向を向くように設置できる。
【００１５】
請求項３に記載の発明によれば、第１電子部品と第２電子部品との取付板を介する固定が簡易な構造で容易に行える。
【００１６】
請求項４に記載の発明によれば、たとえ第１電子部品が回転つまみを有する回転式電子部品であっても、回転つまみの回転軸に垂直な面を取付板の面に沿う方向（即ちほぼ平行）に向くようにしたので、ケース内での回転式電子部品の収納スペースを小さくでき、電子部品の集積化が図れる。
【００１７】
請求項５に記載の発明によれば、取付板の外側面を回転つまみの面に接近させるように傾斜させたので、より２つの電子部品を接近して設置でき、集積化が図れる。
【発明を実施するための最良の形態】
【００１８】
以下、本発明の実施形態を図面に基づいて詳細に説明する。
〔第１実施形態〕
図１は本発明の第１実施形態にかかる複合型電子部品１−１の概略側断面図である。同図に示すようにこの複合型電子部品１−１は、取付部材（以下各実施形態では「取付板」という）４００の両面に、それぞれ第１電子部品（以下各実施形態では「回転式電子部品」という）１０と第２電子部品（以下各実施形態では「押圧式電子部品」という）２００とを取り付けるとともに、前記取付板４００の外側面４００Ａを覆って前記回転式電子部品１０及び押圧式電子部品２００上にケース（以下各実施形態では「外装ケース」という）５００を設置し、さらに外装ケース５００に回転式電子部品１０の操作部（以下各実施形態では「回転つまみ」という）５０と押圧式電子部品２００の操作部（以下各実施形態では「キートップ」という）２７０とをそれぞれ露出する第１，第２露出部５０１，５０３を設けて構成されている。そして回転式電子部品１０と押圧式電子部品２００は、取付板４００の対向する両面に重なり合って取り付けられている。以下各構成部品について説明する。
【００１９】
図２は複合型電子部品１−１（但し外装ケース５００とキートップ２７０を除く）の分解斜視図である。この図では押圧式電子部品２００は分解（展開）されている状態を示している。同図に示すように回転式電子部品１０と押圧式電子部品２００からそれぞれ引き出される引出部６９，２１６はフレキシブル回路基板１４０に連結されている。フレキシブル回路基板１４０は１枚の可撓性を有する合成樹脂フイルム（例えばポリエチレンテレフタレートフイルム）で構成されている。
【００２０】
取付板４００は金属板を矩形状に形成し、且つその所定部分（屈曲辺４０５）を屈曲することで２つの平面状の電子部品取付部４０１，４０３を設けている。電子部品取付部４０１の両面はそれぞれ下記する第１，第２電子部品１０，２００を取り付ける取付面となっている。一方電子部品取付部４０３にも前記フレキシブル回路基板１４０を含む各種電子部品が取り付けられる。屈曲辺４０５の部分にはスリット状の基板挿通部４０６が設けられている。また電子部品取付部４０１の４隅には、貫通孔又は切り欠きからなる開口部４０９が設けられている。また電子部品取付部４０１の所定位置には４つの貫通孔からなる係止部４１１が設けられている。
【００２１】
図３，図４は回転式電子部品１０をそれぞれ別の角度から見た分解斜視図である。両図に示すように回転式電子部品１０は押釦スイッチ付き回転式電子部品であり、押釦スイッチ付き回転式電子部品本体２０と基台（以下「第１ケース」という）１００とを具備して構成されている。押釦スイッチ付き回転式電子部品本体２０は、回転式電子部品部３０と押釦スイッチ部６０とを、下記する取付台４０のスリット４２を通した帯状の連結部７１によって連結して構成されている。回転式電子部品部３０は、取付台４０の一方の面に回転つまみ５０を回転自在に取り付け、回転つまみ５０の取付台４０側に取り付けた摺動子（図１参照）３００を、取付台４０の回転つまみ５０に対向する面側に取り付けた摺動用基板５７（図１参照）の図示しないスイッチパターンや抵抗体パターン等の摺動用パターンに摺接させて構成されている。取付台４０の下部には取付台４０をＬ字状に屈曲してなる押圧用基部４１を設け、この押圧用基部４１の下面中央に柱状に突出する押圧部４３を設けている。押圧用基部４１の根元部分には貫通するスリット４２が設けられている。取付台４０の回転つまみ５０を取り付けた反対側の面にはその略中央に爪状の係合部４５を設け、係合部４５の両側にＬ字状に突出するガイド部４７を設け、また係合部４５の上部にＴ字状に突出するガイド係合部４９を設けている。一方押釦スイッチ部６０は、合成樹脂板製の矩形状の設置台６１上にスイッチ６３を設けたスイッチ基板６５を取り付けて構成されている。スイッチ基板６５は設置台６１から突出する小突起６７をスイッチ基板６５に設けた小孔に挿通してその先端を熱カシメすることで設置台６１上に固定されている。スイッチ６３はスイッチ基板６５上に形成した一対のスイッチパターン上に金属板をドーム形状に形成してなる反転板（可動接点板）６６を取り付けて構成されている。このスイッチ基板６５と前記摺動用基板５７とは前記連結部７１を介して一体に連結されたフレキシブル回路基板であり、スイッチ基板６５の外周辺には回転式電子部品部３０と押釦スイッチ部６０の出力を取り出す帯状の引出部６９が一体に取り付けられている。
【００２２】
第１ケース１００は合成樹脂製であり、その上部と、前記押釦スイッチ付き回転式電子部品本体２０を挿入する側の側面部分とを開放した箱型に形成され、押釦スイッチ付き回転式電子部品本体２０の取付台４０を上下動自在に取り付ける取付面１００ａには前記取付台４０の係合部４５を係止して取付台４０が上方向に外れるのを防止する上方向に突出する弾性爪状の係止部１０１と、前記ガイド部４７が上下動自在となるように係合する上下に延びる平板状のガイド受け部１０３と、前記ガイド係合部４９が上下動自在となるように係合する切り欠き溝状のガイド係合受け部１０５とが設けられている。また第１ケース１００の下部は前記押釦スイッチ部６０を挿入する押釦スイッチ部挿入部１０７となっている。そして第１ケース１００の前記押釦スイッチ付き回転式電子部品本体２０を挿入する側を向く両側辺１０９は下方向に向かって斜め前方に突出していく傾斜面となっている。そして両側辺１０９の上下には、それぞれ水平方向（図２に示す取付板４００方向）に向かって突出する柱状の突出部１１１が設けられている。なお両側辺１０９の傾斜角度は前記取付板４００の両電子部品取付部４０１，４０３間の屈曲する角度と同じである。
【００２３】
そして第１ケース１００内にその開放された側面側から押釦スイッチ付き回転式電子部品本体２０を挿入してゆき、取付台４０の面を第１ケース１００の取付面１００ａに当接し、その際取付台４０の係合部４５を係止部１０１の上部に、ガイド部４７をガイド受け部１０３の上部に、ガイド係合部４９をガイド係合受け部１０５の上部に位置し、第１ケース１００に対して取付台４０を下降することで係合部４５を係止部１０１に、ガイド部４７をガイド受け部１０３に、ガイド係合部４９をガイド係合受け部１０５に係合する。これによって回転式電子部品部３０が第１ケース１００内で上下動自在に保持される。同時にこのとき押釦スイッチ部６０も第１ケース１００の下部の押釦スイッチ部挿入部１０７内に収納され、図２に示す状態になり、回転式電子部品１０が完成する。
【００２４】
押圧式電子部品２００は図２に示すように、電子部品本体部（以下「２段押釦スイッチ本体部」という）２１０と、基台（以下「第２ケース」という）２５０と、図１に示すキートップ２７０とを具備して構成されている。２段押釦スイッチ本体部２１０はスイッチ基板２１１と基板取付体２４０とを具備している。スイッチ基板２１１は可撓性を有する合成樹脂フイルムを矩形状に形成してなる第１基板部２１５と、一対の円形の第２基板部２１７と、第１基板部２１５と略同一形状の第３基板部２６１とをそれぞれ連結部２１９，２２１，２６３で連結し、第１基板部２１５上に設けた図示しない一対のスイッチパターン上に弾性金属板をドーム形状に形成してなる可動接点板を取り付けてスイッチ２３５を構成し、また一対の第２基板部２１７上にそれぞれスイッチパターン２２７，２２９を設け、第１基板部２１５上のスイッチパターンと第２基板部２１７上のスイッチパターン２２７，２２９にそれぞれ接続された図示しない回路パターンを第３基板部２６１を介して第３基板部２６１に接続した引出部２１６から外部に引き出している。なおスイッチパターン２２７，２２９の周囲にはリング状のスペーサ層２３１が形成されている。また第１基板部２１５と第３基板部２６１の４隅の前記取付板４００の各係止部４１１に対向する位置にはそれぞれ円形の小孔からなる挿通部２３９が設けられている。一方基板取付体２４０は合成樹脂を円形に成形して構成されており、その一方の面に前記一対の第２基板部２１７を収納・載置する基板取付面２４１を設け、その他方の面の中央に小突起状の押圧部２４３を設けて構成されている。
【００２５】
第２ケース２５０は合成樹脂を略矩形状に成形して構成されており、その外形形状寸法は前記取付板４００の電子部品取付部４０１の外形寸法形状と略同一に形成されており、またその４隅の前記取付板４００の各開口部４０９に対向する位置にはそれぞれ貫通孔又は切り欠きからなる開口部２５１が設けられ、またその中央の取付板４００側を向く面には前記基板取付体２４０を上下動自在に収納する円形凹状の収納部２５３が設けられている。収納部２５３の底面には下記するキートップ２７０の押圧部２７５を挿入する押圧部挿入部２５５が設けられている。なお第２ケース２５０の取付板４００側を向く面の収納部２５３の周囲の前記取付板４００の各係止部４１１に対向する位置には図示はしないがそれぞれ位置決め突起が突設されている。
【００２６】
図１に示す外装ケース５００は取付板４００に取り付ける回転式電子部品１０と押圧式電子部品２００の設置状態に対応してそれらの外周を覆うように屈曲（又は湾曲）しており、具体的には取付板４００の電子部品取付部４０３に対して略平行に設置される第３面５０９と、電子部品取付部４０１に対して略平行に設置されて押圧式電子部品２００を覆う第２面５０７と、回転つまみ５０の円形平面状の側面に略垂直に設置されて回転式電子部品１０の上部を覆う第１面５０５（第１面５０５と第２面５０７は取付板４００の上部外周辺である外側面４００Ａの上方を覆っている）とを設けており、且つ第１面５０５と第２面５０７にそれぞれ異なる方向を向いて開口からなる第１露出部５０１と第２露出部５０３とを設けている。第１露出部５０１は回転つまみ５０の外周面である操作面５０ａの一部を露出するように略矩形状に形成され、また第２露出部５０３は下記するキートップ２７０の本体部２７１の上面を露出するように略円形に形成されている。
【００２７】
図１に示すキートップ２７０は合成樹脂製であり、略円柱状の本体部２７１の下部外周から円板状のつば部２７３を突出し、さらに本体部２７１の下面中央から円柱状の押圧部２７５を突出して構成されている。つば部２７３は第２面５０７の裏面（取付板４００に対向する側の面）に設けた収納部２０９内に上下動自在に収納され、収納部２０９内に設置した弾発手段（コイルスプリング）２１１によって上方向（第２面５０７方向）に向かって弾発されている。
【００２８】
複合型電子部品１−１を組み立てるには、まず図２において、取付板４００の電子部品取付部４０１の一方の取付面に回転式電子部品１０の第１ケース１００の側辺１０９を当接し、その際第１ケース１００の各突出部１１１を取付板４００の各開口部４０９に挿入する。このとき引出部６９を取付板４００の基板挿通部４０６に挿通する。次に一対の第２基板部２１７，２１７をスイッチパターン２２７，２２９が対向するように重ね合わせたものを図５に示すように基板取付体２４０の基板取付面２４１に収納して取り付けることでスイッチ２３７を構成し、さらにこの第２基板部２１７を取り付けた基板取付体２４０を第１基板部２１５上に折り返して載置して基板取付体２４０の押圧部２４３をスイッチ２３５の上面中央に設置し、さらに図６に示すように連結部２６３と引出部２１６とを逆向きに折り返すことで、取付板４００の直前に組み立てた２段押釦スイッチ本体部２１０を設置する。次に第２ケース２５０の収納部２５３を設けた側の面に２段押釦スイッチ本体部２１０を取り付け、その際収納部２５３内に基板取付体２４０を収納すると同時に、収納部２５３の周囲に設けた図示しない位置決め突起を２段押釦スイッチ本体部２１０の各挿通部２３９に挿入して第２電子部品２００を組み立て、組み立てた第２電子部品２００を図７に示すように前記取付板４００の電子部品取付部４０１の取付面に載置し、その際取付板４００から突出している前記第１ケース１００の突出部１１１を第２ケース２５０の各開口部２５１に挿入し、図７に示すように、各開口部２５１から突出する各突出部１１１の先端を熱カシメする。なお回転式電子部品１０と押圧式電子部品２００とを取付板４００に取り付けた際に余って弛んでいる引出部６９の部分は、図１に示すように第１ケース１００の押釦スイッチ部挿入部１０７の下部に設けたフレキシブル回路基板収納部１１３に収納されるので邪魔にならない。なおフレキシブル回路基板収納部１１３は、取付板４００に設けた基板挿通部４０６に対向して設置されている。
【００２９】
そして図１に示すように、回転式電子部品１０と押圧式電子部品２００とを取り付けた取付板４００の上に外装ケース５００を設置し、図示しない位置に設けた取付手段によって取付板４００と外装ケース５００間を固定する。このとき外装ケース５００の第１露出部５０１には回転つまみ５０の操作面５０ａの一部が露出し、第２露出部５０３にはキートップ２７０の本体部２７１が露出する。またキートップ２７０の押圧部２７５の先端は第２ケース２５０の押圧部挿入部２５５内に挿入される。なお図１において、４６は取付台４０の面から突出して回転体５０を回動自在に軸支する軸であり、５１は回転体５０の摺動子３００を取り付けた面の裏面に設けたリング状の凹凸からなるクリック係合部であり、５３はクリック係合部５１に弾接する弾性金属板からなるクリック板であり、５５はクリック板５３及び回転体５０の軸４６からの抜けを防止する押え板である。
【００３０】
なお図１からもわかるように、取付板４００は外装ケース５００の屈曲又は湾曲に合わせて屈曲又は湾曲している。また回転式電子部品１０は回転つまみ５０の回転軸に垂直な面（即ち回転つまみ５０の円形平面状の側面、以下同じ）が取付板４００の面に沿う方向を向き、且つ回転つまみ５０の一部が取付板４００の外側面（電子部品取付部４０１の先端側の外周端辺、以下同じ）４００Ａから外方（上方）に突出している。また取付板４００の電子部品取付部４０１は、取付板４００の外側面４００Ａが回転つまみ５０の回転軸に垂直な面に近づくようにこの回転つまみ５０の面に対して傾斜した状態で取り付けられ、且つこの傾斜面である電子部品取付部４０１上に押圧式電子部品２００が取り付けられ、さらに回転つまみ５０の外周面を操作面５０ａとして外装ケース５００の第１露出部５０１に露出している。またこの実施形態では回転式電子部品１０を取り付ける第１ケース１００から突出する突出部１１１を、前記取付板４００を介して、押圧式電子部品２００を取り付ける第２ケース２５０に取り付けることで、回転式電子部品１０と押圧式電子部品２００とを取付板４００を介して一体に固定したが、その代りに、押圧式電子部品２００を取り付ける第２ケース２５０から突出部を突出させてこの突出部を、取付板４００を介して、回転式電子部品１０を取り付ける第１ケース１００に取り付けることで、回転式電子部品１０と押圧式電子部品２００とを取付板４００を介して一体に固定してもよい。何れにしても回転式電子部品１０と押圧式電子部品２００の取付板４００を介する固定が相互の部品を利用して簡易な構造で容易に行える。
【００３１】
そして複合型電子部品１−１の回転つまみ５０を回転すると、摺動子３００が摺動用基板５７上に設けた図示しない摺動用パターン上を摺動し、その出力を変化する。一方回転つまみ５０をその回転軸に向かって真上から真下に押圧すると、回転式電子部品部３０全体が下降してその押圧部４３がスイッチ６３を押圧して反転板６６を反転し、これをオンする。回転体５０への押圧を解除すれば、反転板６６の弾性復帰力によって回転式電子部品部３０全体が元の位置に自動復帰し、スイッチ６３はオフする。一方キートップ２７０を押圧すれば、図２に示す２段押釦スイッチ本体部２１０の一方の第２基板部２１７のスイッチパターン２２７の裏面中央が押圧されてまず一対の第２基板部２１７，２１７のスイッチパターン２２７，２２９からなるスイッチ２３７がオンし、さらにキートップ２７０を押圧すれば、基板取付体２４０が下降してその押圧部２４３が第１基板部２１５の可動接点板を反転しそのスイッチ２３５をオンする。前記押圧を解除すれば、スイッチ２３５、スイッチ２３７がこの順でオフする。
【００３２】
以上のようにこの複合型電子部品１−１によれば、取付部材４００の両面（特に対向する面）に回転式電子部品１０と押圧式電子部品２００を設置したので、取付部材４００の一方の面に両電子部品１０，２００を並列に設置する場合に比べて両電子部品１０，２００の操作部（回転つまみ５０の操作面５０ａとキートップ２７０）を取付部材４００の外側面４００Ａ近傍において容易に接近して配置させることができ、取付部材４００の外側面４００Ａを覆う外装ケース５００に設けた第１，第２露出部５０１，５０３を接近して設けることができる。即ちもし平板状の取付部材４００の押圧式電子部品２００を設置した側の面に回転式電子部品１０を併設しようとした場合は、回転つまみ５０の操作面５０ａの位置がキートップ２７０の位置から大きく離れることとなる（取付部材４００の面に対して回転つまみ５０の側面を垂直に設置した場合も、平行に設置した場合も、斜めに設置した場合も同様である）。またこの実施形態によれば、取付部材４００の両面（特に対向する両面）に回転式電子部品１０と押圧式電子部品２００を設置した上で、外装ケース５００を屈曲又は湾曲したので、容易に第１，第２露出部５０１，５０３を異なる方向を向くように設置できる。またこの実施形態によれば、取付部材４００も外装ケース５００の屈曲又は湾曲に合わせて屈曲又は湾曲させたので、異なる方向を向く第１，第２露出部５０１，５０３に合わせて容易に両電子部品１０，２００を設置できる。また上記実施形態においては、回転つまみ５０の回転軸に垂直な面を取付板４００の面に沿う方向（即ちほぼ平行）に向くようにしたので、外装ケース５００内での回転式電子部品１０の収納スペースを小さくでき、両電子部品１０，２００の集積化が図れる。また上記実施形態においては、取付板４００の外側面４００Ａを回転つまみ５０の面に接近させるように傾斜させたので、より２つの電子部品１０，２００を接近して設置でき、集積化が図れる。
【００３３】
〔第２実施形態〕
図８は本発明の第２実施形態にかかる複合型電子部品１−２の概略側断面図である。また図９は複合型電子部品１−２（但し外装ケース５００−２とキートップ２７０−２を除く）の斜視図である。これらの図に示す複合型電子部品１−２において、前記複合型電子部品１−１と同一又は相当部分には同一符号（但し各符号には「−２」を付する）を付す。なお以下で説明する事項以外の事項については、前記図１〜図７に示す実施形態と同じである。この実施形態において前記複合型電子部品１−１と相違する点は、取付板４００−２に屈曲辺４０５を設けず、２つの平面状の電子部品取付部４０１−２，４０３−２を同一平面上に設けた点と、これに合わせて回転式電子部品１０−２の形状と押圧式電子部品２００−２の形状と外装ケース５００−２の形状とを変更した点と、前記回転式電子部品１０−２から押釦スイッチの機能を削除した点とである。
【００３４】
即ちこの複合型電子部品１−２においても、取付板４００−２の両面に、それぞれ回転式電子部品１０−２と押圧式電子部品２００−２とを取り付けるとともに、取付板４００−２の外側面４００Ａ−２を覆って回転式電子部品１０−２及び押圧式電子部品２００−２上に外装ケース５００−２を設置し、さらに外装ケース５００−２に回転式電子部品１０−２の回転つまみ５０−２と押圧式電子部品２００−２のキートップ２７０−２とをそれぞれ露出する第１，第２露出部５０１−２，５０３−２を設けている。そして前記回転式電子部品１０−２と押圧式電子部品２００−２は、取付板４００−２の対向する両面に重なり合って取り付けられている。以下各構成部品について説明する。
【００３５】
この実施形態においても、回転式電子部品１０−２と押圧式電子部品２００−２からそれぞれ引き出される引出部６９−２，２１６−２はフレキシブル回路基板１４０−２に連結されている。また取付板４００−２には前述のように屈曲辺４０５−２を設けず、電子部品取付部４０１−２と電子部品取付部４０３−２とを同一平面としている。回転式電子部品１０−２は第１実施形態のように押釦スイッチを設けていないので、基台（以下「第１ケース」という）１００−２が第１実施形態の取付台４０と第１ケース１００の機能を兼用している。即ちこの実施形態の場合、第１ケース１００−２は合成樹脂製であり、その上部と、回転つまみ５０−２等を収納する側の側面部分とを開放した箱型に形成され、回転つまみ５０−２を取り付ける取付面１００ａ−２の略中央には軸４６−２が突設されている。そして第１ケース１００−２の回転つまみ５０−２を取り付ける面側を向く両側辺１０９−２の上下には、それぞれ水平方向に向かって突出する柱状の突出部１１１−２が設けられている。なお両側辺１０９−２は取付面１００ａ−２に対して平行であり、第１実施形態のようには傾斜していない。
【００３６】
そして第１ケース１００−２の取付面１００ａ−２の軸４６−２に回転つまみ５０−２を回転自在に挿入し、更にその上にクリック板５３−２と押え板５５−２を挿入し、軸４６−２の先端をかしめれば、回転式電子部品１０−２が完成する。このとき回転つまみ５０−２の取付面１００ａ−２側に取り付けた摺動子３００−２が、取付面１００ａ−２に取り付けた摺動用基板５７−２の図示しないスイッチパターンや抵抗体パターン等の摺動用パターンに当接している。摺動用基板５７−２はフレキシブル回路基板であり、その外周辺には回転式電子部品１０−２の出力を取り出す帯状の引出部６９−２が一体に取り付けられている。押圧式電子部品２００−２の内部構造は第１実施形態の押圧式電子部品２００の内部構造と同一である。
【００３７】
外装ケース５００−２は取付板４００−２に取り付ける回転式電子部品１０−２と押圧式電子部品２００−２の設置状態に対応してその外周を覆うように屈曲（又は湾曲）しており、具体的には取付板４００−２の電子部品取付部４０３−２，４０３−１に対して略平行に設置されて押圧式電子部品２００−２を覆う第３面５０９−２と、第３面５０９−２に対して斜めに傾斜する第２面５０７−２と、回転つまみ５０−２の円形平面状の側面に略垂直に設置されて回転式電子部品１０−２の上部を覆う第１面５０５−２（第２面５０７−２と第１面５０５−２は取付板４００−２の上部外周辺である外側面４００Ａ−２の上方を覆っている）とを設けており、且つ第１面５０５−２と第３面５０９−２にそれぞれ異なる方向を向いて開口からなる第１露出部５０１−２と第２露出部５０３−２とを設けている。第１，第２露出部５０１，５０３の形状は第１実施形態と同様である。またキートップ２７０−２及びその外装ケース５００−２への取付構造も第１実施形態と同様である。
【００３８】
複合型電子部品１−２の組み立ては、第１実施形態と同様である。即ち取付板４００−２の電子部品取付部４０１−２の一方の取付面に回転式電子部品１０−２の第１ケース１００−２の側辺１０９−２を当接し、その際第１ケース１００−２の各突出部１１１−２を取付板４００−２の各開口部４０９−２に挿入する。このとき引出部６９−２を取付板４００−２の基板挿通部４０６−２に挿通する。次に組み立てた第２電子部品２００−２を取付板４００−２の電子部品取付部４０１−２の他方の取付面に載置し、その際取付板４００−２から突出している前記第１ケース１００−２の突出部１１１−２を第２ケース２５０−２の各開口部２５１−２に挿入し、各開口部２５１−２から突出する各突出部１１１−２の先端を熱カシメする。そして回転式電子部品１０−２と押圧式電子部品２００−２とを取り付けた取付板４００−２の上に外装ケース５００−２を設置し、図示しない位置に設けた取付手段によって取付板４００−２と外装ケース５００−２間を固定する。このとき外装ケース５００−２の第１露出部５０１−２には回転つまみ５０−２の外周面の一部（操作面５０ａ−２）が露出し、第２露出部５０３−２にはキートップ２７０−２の本体部２７１−２が露出する。またキートップ２７０−２の押圧部２７５−２の先端は第２ケース２５０−２の押圧部挿入部２５５−２内に挿入される。なおこの実施形態においても、押圧式電子部品２００−２を取り付ける第２ケース２５０−２から突出部を突出させてこの突出部を、取付板４００−２を介して、第１ケース１００−２に取り付けることで、回転式電子部品１０−２と押圧式電子部品２００−２とを取付板４００−２を介して一体に固定してもよい。
【００３９】
そして複合型電子部品１−２の回転つまみ５０−２を回転すると、摺動子３００−２が摺動用基板５７−２上に設けた図示しない摺動用パターン上を摺動し、その出力を変化する。一方キートップ２７０−２を押圧すれば、第１実施形態と同様に２段階でスイッチがオンする。
【００４０】
以上のようにこの複合型電子部品１−２によれば、取付部材４００−２の両面（特に対向する面）に回転式電子部品１０−２と押圧式電子部品２００−２を設置したので、取付部材４００−２の一方の面に両電子部品１０−２，２００−２を並列に設置する場合に比べて両電子部品１０−２，２００−２の操作部（回転つまみ５０−２の操作面５０ａ−２とキートップ２７０−２）を取付部材４００−２の外側面４００Ａ−２近傍において容易に接近させて配置させることができ、取付部材４００−２の外側面４００Ａ−２を覆う外装ケース５００−２に設けた第１，第２露出部５０１−２，５０３−２を接近させて設けることができる。またこの実施形態によれば、取付部材４００−２の両面（特に対向する両面）に回転式電子部品１０−２と押圧式電子部品２００−２を設置した上で、外装ケース５００−２を屈曲又は湾曲したので、容易に第１，第２露出部５０１−２，５０３−２を異なる方向を向いて設置できる。また上記実施形態においては、回転つまみ５０−２の回転軸に垂直な面を取付板４００−２の面に沿う方向（即ちほぼ平行）に向くようにしたので、外装ケース５００−２内での回転式電子部品１０−２の収納スペースを小さくでき、両電子部品１０−２，２００−２の集積化が図れる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では第１電子部品として回転式電子部品を用い、第２電子部品として押圧式電子部品を用いたが、第１，第２電子部品としてそれぞれ別の機能・構造を有する電子部品を用いても良い。上記実施形態では取付部材として取付板を用いたが、板状でない部材であっても良い。また外装ケースの形状・構造や第１，第２露出部の形状・構造にも種々の変形が可能であることはいうまでもない。上記実施形態では第１電子部品と第２電子部品とを取付部材の対向する両面に重ねて取り付けたが、場合によっては重ならない位置に取り付けても良い。外装ケースや取付部材の屈曲形状にも種々の変形が可能である。
【図面の簡単な説明】
【００４２】
【図１】複合型電子部品１−１の概略側断面図である。
【図２】複合型電子部品１−１（但し外装ケース５００とキートップ２７０を除く）の分解斜視図である。
【図３】回転式電子部品１０の分解斜視図である。
【図４】回転式電子部品１０の分解斜視図である。
【図５】複合型電子部品１−１の組み立て方法説明図である。
【図６】複合型電子部品１−１の組み立て方法説明図である。
【図７】複合型電子部品１−１の組み立て方法説明図である。
【図８】複合型電子部品１−２の概略側断面図である。
【図９】複合型電子部品１−２（但し外装ケース５００−２とキートップ２７０−２を除く）の斜視図である。
【符号の説明】
【００４３】
１−１  複合型電子部品
１０  回転式電子部品（第１電子部品）
２０  押釦スイッチ付き回転式電子部品本体
５０  回転つまみ（操作部）
５０ａ  操作面
１００  第１ケース（基台）
１１１  突出部
２００  押圧式電子部品（第２電子部品）
２１０  ２段押釦スイッチ本体部（電子部品本体部）
２５０  第２ケース（基台）
２７０  キートップ（操作部）
４００  取付板（取付部材）
４００Ａ  外側面
４０１  電子部品取付部（傾斜面）
４０３  電子部品取付部
４０５  屈曲辺
５００  外装ケース（ケース）
５０１  第１露出部
５０３  第２露出部
１−２  複合型電子部品
１０−２  回転式電子部品
２００−２  押圧式電子部品
２７０−２  キートップ
４００−２  取付板
５００−２  外装ケース
【図１】
0004606309.tif 000002
【図２】
0004606309.tif 000003
【図３】
0004606309.tif 000004
【図４】
0004606309.tif 000005
【図５】
0004606309.tif 000006
【図６】
0004606309.tif 000007
【図７】
0004606309.tif 000008
【図８】
0004606309.tif 000009
【図９】
0004606309.tif 000010